(57)【要約】【課題】意匠性が損なわれずに済む空気調和装置の室内機の提供。【解決手段】天井埋め込み型の空気調和装置の室内機１は、ケーシング２と、フラットパネル３とを備えている。ケーシング２の化粧パネル２ｂには、室内空気の吸い込み口２１ａと吹き出し口２１ｂとが形成されている。フラットパネル３は、吸い込み口２１ａを遮蔽する閉姿勢と、吸い込み口２１ａを開放する開姿勢とを採り得る。そして、フラットパネル３が開姿勢を採る場合、少なくとも吹き出し口２１ａから遠いフラットパネル３の第１部分Ｐ１は、ケーシング２から離れる。【選択図】図２
2009041851.tif 000002
【特許請求の範囲】
【請求項１】
天井埋め込み型の空気調和装置の室内機（１，１０１，２０１，３０１，４０１）であって、
下面（２ｂ，１０２ｂ，２０２ｂ，３０２ｂ，４０２ｂ）に室内空気の吸い込み口（２１ａ，１２１ａ，２２１ａ，３２１ａ，４２１ａ）と吹き出し口（２１ｂ，１２１ｂ，２２１ｂ，３２１ｂ，４２１ｂ）とが形成されたケーシング（２，１０２，２０２，３０２，４０２）と、
前記ケーシング（２，１０２，２０２，３０２，４０２）の前記吸い込み口（２１ａ，１２１ａ，２２１ａ，３２１ａ，４２１ａ）を遮蔽する閉姿勢と、前記吸い込み口（２１ａ，１２１ａ，２２１ａ，３２１ａ，４２１ａ）を開放する開姿勢とを採り得るパネル（３，１０３，２０３，３０３，４０３）と、
を備え、
前記パネル（３，１０３，２０３，３０３，４０３）が前記開姿勢を採る場合、少なくとも前記吹き出し口（２１ｂ，１２１ｂ，２２１ｂ，３２１ｂ，４２１ｂ）から遠い前記パネル（３，１０３，２０３，３０３，４０３）の第１部分（Ｐ１，Ｐ１０１，Ｐ２０１，Ｐ３０１，Ｐ４０１）が前記ケーシング（２，１０２，２０２，３０２，４０２）から離れる、
空気調和装置の室内機（１，１０１，２０１，３０１，４０１）。
【請求項２】
前記パネル（３，１０３，２０３，３０３，４０３）が前記開姿勢を採る場合、前記パネル（３，１０３，２０３，３０３，４０３）の前記第１部分（Ｐ１，Ｐ１０１，Ｐ２０１，Ｐ３０１，Ｐ４０１）と前記吸い込み口（２１ａ，１２１ａ，２２１ａ，３２１ａ，４２１ａ）との距離は、前記吹き出し口（２１ｂ，１２１ｂ，２２１ｂ，３２１ｂ，４２１ｂ）に近い前記パネル（３，１０３，２０３，３０３，４０３）の第２部分（Ｐ２，Ｐ１０２，Ｐ２０２，Ｐ３０２，Ｐ４０２）と前記吸い込み口（２１ａ，１２１ａ，２２１ａ，３２１ａ，４２１ａ）との距離よりも大きい、
請求項１に記載の空気調和装置の室内機（１，１０１，２０１，３０１，４０１）。
【請求項３】
前記パネル（３，１０３，２０３，３０３，４０３）は、運転停止時には前記閉姿勢を採り、運転時には前記開姿勢を採る、
請求項２に記載の空気調和装置の室内機（１，１０１，２０１，３０１，４０１）。
【請求項４】
前記パネル（３）は、
前記ケーシングの下面（２ｂ）に対し回動自在に設けられており、
前記開姿勢を採る場合、前記吹き出し口（２１ｂ）に近い部分から遠い部分に向かって前記吸い込み口（２１ａ）との距離が大きくなるように傾斜している、
請求項１〜３のいずれかに記載の空気調和装置の室内機（１）。
【請求項５】
前記パネル（３）の前記ケーシング（２）に対する傾斜度合いを調節する調節部（７）を更に備える、
請求項４に記載の空気調和装置の室内機（１）。
【請求項６】
前記調節部（７）は、前記ケーシング（２）内部から発せられる音の室内への伝達を小さくする静音優先モード時、前記パネル（３）の前記ケーシング（２）に対する傾斜度合いが通常モード時よりも大きくなるように、前記パネル（３）の傾斜度合いを調節する、
請求項５に記載の空気調和装置の室内機（１）。
【請求項７】
前記吹き出し口（２１ｂ）から室内に吹き出される空気の量の設定を受け付ける受付部（５）を更に備え、
前記調節部（７）は、前記受付部（５）により受け付けられた前記設定に基づいて、前記パネル（３）の傾斜度合いを調節する、
請求項５または６に記載の空気調和装置の室内機（１）。
【請求項８】
前記パネル（１０３）は、略水平方向に延びる水平部（１０３ａ）と、前記開姿勢を採る場合に前記水平部（１０３ａ）の前記吹き出し口（２１ｂ）側端部から前記吸い込み口（１２１ａ）に向かって略鉛直方向に延びる鉛直部（１０３ｂ）とで構成されるＬ字形状を有しており、
前記パネル（１０３）の前記第１部分（Ｐ１０１）は、前記水平部（１０３ａ）上に位置し、前記第２部分（Ｐ１０２）は、前記鉛直部（１０３ｂ）上に位置する、
請求項２または３に記載の空気調和装置の室内機（１０１）。
【請求項９】
前記吹き出し口（２１ｂ，１２１ｂ，２２１ｂ，３２１ｂ）は、前記ケーシング（２，１０２，２０２，３０２）の下面（２ｂ，１０２ｂ，２０２ｂ，３０２ｂ）に１つ形成されている、
請求項１〜８のいずれかに記載の空気調和装置の室内機（１，１０１，２０１，３０１）。
【請求項１０】
前記吸い込み口（２１ａ，１２１ａ，２２１ａ，３２１ａ）が前記吹き出し口（２１ｂ，１２１ｂ，２２１ｂ，３２１ｂ）よりも室内の側壁または窓側に位置するように、配置される、
請求項９に記載の空気調和装置の室内機（１，１０１，２０１，３０１）。
【発明の詳細な説明】
【技術分野】
【０００１】
本発明は、空気調和装置の室内機、特に、天井埋め込み型の空気調和装置の室内機に関する。
【背景技術】
【０００２】
従来より、空気調和装置の種類としては、特許文献１及び特許文献２に開示されるように、天井埋め込み型の空気調和装置がある。このような空気調和装置は、ケーシング本体と、ケーシング本体の下面に配置された化粧パネルとを有するケーシングを備えており、化粧パネルには、室内の空気を吸い込む吸い込み口と室内に空気を吹き出す吹き出し口とが形成されている。
【特許文献１】特開平１０−１９７０４７号公報
【特許文献２】特開平１０−１９６９９９号公報
【発明の開示】
【発明が解決しようとする課題】
【０００３】
ところで、化粧パネルは人目に触れやすいものであり、空気調和装置の利用者によっては、化粧パネルの意匠は、商品を選択するにあたり重要な条件となる。しかしながら、化粧パネルには、上述したように吹き出し口や吸い込み口が形成されている。特に、吸い込み口は、一般的には空気調和装置の運転状態に関係なく開放された状態にあり、吸い込み口には、空気中の塵埃を捕集するフィルタが設けられている。このようなフィルタは、吸い込み口を通じて人目に触れやすい状態にあるため、化粧パネルの意匠性が損なわれる恐れがある。
【０００４】
そこで、本発明は、意匠性が損なわれずに済む空気調和装置の室内機の提供を目的とする。
【課題を解決するための手段】
【０００５】
発明１に係る空気調和装置の室内機は、天井埋め込み型の空気調和装置の室内機であって、ケーシングと、パネルとを備えている。ケーシングの下面には、室内空気の吸い込み口と吹き出し口とが形成されている。パネルは、ケーシングの吸い込み口を遮蔽する閉姿勢と、吸い込み口を開放する開姿勢とを採り得る。そして、パネルが開姿勢を採る場合、少なくとも吹き出し口から遠いパネルの第１部分は、ケーシングから離れる。
【０００６】
この空気調和装置の室内機によると、開姿勢を採るパネルは、少なくとも吹き出し口から遠い第１部分がケーシングから離れている状態であるため、吹き出し口側からは吸い込み口が見えにくくなる。従って、室内機の意匠が損なわれずに済む。
【０００７】
発明２に係る空気調和装置の室内機は、発明１に係る空気調和装置の室内機であって、パネルが開姿勢を採る場合、パネルの第１部分と吸い込み口との距離は、吹き出し口に近いパネルの第２部分と吸い込み口との距離よりも大きい。
【０００８】
この空気調和装置の室内機によると、開姿勢を採るパネルは、吹き出し口から近い部分よりも遠い部分の方が吸い込み口からの距離が大きい状態であるため、吹き出し口側からは吸い込み口が見えにくくなる。
【０００９】
発明３に係る空気調和装置の室内機は、発明２に係る空気調和装置の室内機であって、パネルは、運転停止時には閉姿勢を採り、運転時には開姿勢を採る。
【００１０】
この空気調和装置の室内機によると、パネルは、運転停止時には吸い込み口を閉じ、運転時には吸い込み口を開放する。特に、吸い込み口は、開放されている時、パネルにより吹き出し口側からは見えにくい状態にあるため、室内機の運転状態に関係なく意匠性を確保することができる。
【００１１】
発明４に係る空気調和装置の室内機は、発明１〜３のいずれかに係る空気調和装置の室内機であって、パネルは、ケーシングの下面に対し回動自在に設けられている。そして、パネルは、開姿勢を採る場合、吹き出し口に近い部分から遠い部分に向かって吸い込み口との距離が大きくなるように傾斜している。
【００１２】
この空気調和装置の室内機に係るパネルは、開姿勢を採る場合には、吹き出し口に近い部分を軸として遠い部分が開くように回動するため、吹き出し口側からは吸い込み口が見えにくくなる。
【００１３】
発明５に係る空気調和装置の室内機は、発明４に係る空気調和装置の室内機であって、調節部を更に備える。調節部は、パネルのケーシングに対する傾斜度合いを調節する。
【００１４】
これにより、パネルの傾斜度合いは、適切な状態に保たれる。
【００１５】
発明６に係る空気調和装置の室内機は、発明５に係る空気調和装置の室内機であって、調節部は、ケーシング内部から発せられる音の室内への伝達を小さくする静音優先モード時、パネルのケーシングに対する傾斜度合いが通常モード時よりも大きくなるように、パネルの傾斜度合いを調節する。
【００１６】
一般的に、ケーシング内部には、吸い込み口から吹き出し口への空気の流れを形成するための送風ファンや、送風ファンを回転駆動させるファンモータ、空気中の塵埃を捕集するフィルタ等が収容されている。ファンモータからは、回転時に音が発せられ、フィルタからは、空気がフィルタを通過する時の通風音が発せられる。しかし、この室内機は、静音優先モード時、パネルのケーシングに対する傾斜度合いが通常モード時によりも大きくなるように、パネルの傾斜度合いを調節する。そのため、静音優先モード時、ケーシング内部のファンモータやフィルタから発せられる音は、室内の吹き出し口側には届きにくくなる。
【００１７】
発明７に係る空気調和装置の室内機は、発明５または発明６に係る空気調和装置の室内機であって、受付部を更に備える。受付部は、吹き出し口から室内に吹き出される空気の量の設定を受け付ける。そして、調節部は、受付部により受け付けられた設定に基づいて、パネルの傾斜度合いを調節する。
【００１８】
これにより、室内に吹き出される空気量に応じて、吸い込み口から吸い込まれる空気量を十分に確保することができる。
【００１９】
発明８に係る空気調和装置の室内機は、発明２または３に係る空気調和装置の室内機であって、パネルは、略水平方向に延びる水平部と、開姿勢を採る場合に水平部の吹き出し口側端部から吸い込み口に向かって略鉛直方向に延びる鉛直部とで構成されるＬ字形状を有している。そして、パネルの第１部分は、水平部上に位置し、第２部分は、鉛直部上に位置する。
【００２０】
これにより、パネルが開姿勢を採る場合、吹き出し口側からは、パネルの鉛直部により吸い込み口が見えにくくなる。
【００２１】
発明９に係る空気調和装置の室内機は、発明１〜８のいずれかに係る空気調和装置の室内機であって、吹き出し口は、ケーシングの下面に１つ形成されている。
【００２２】
発明１０に係る空気調和装置の室内機は、発明９に係る空気調和装置の室内機であって、吸い込み口が吹き出し口よりも室内の側壁または窓側に位置するように、設置される。
【００２３】
これにより、ケーシング内部から発せられる音は、主として側壁や窓側に出力されるため、室内において吹き出し口側にいる利用者には届きにくくなる。
【発明の効果】
【００２４】
発明１及び発明２に係る空気調和装置の室内機によると、吹き出し口側からは吸い込み口が見えにくくなるため、室内機の意匠が損なわれずに済む。
【００２５】
発明３に係る空気調和装置の室内機によると、室内機の運転状態に関係なく意匠性を確保することができる。
【００２６】
発明４に係る空気調和装置の室内機によると、パネルは、開姿勢を採る場合には、吹き出し口に近い部分を軸として遠い部分が開くように回動するため、吹き出し口側からは吸い込み口が見えにくくなる。
【００２７】
発明５に係る空気調和装置の室内機によると、パネルの傾斜度合いを、適切な状態に保つことができる。
【００２８】
発明６に係る空気調和装置の室内機によると、静音優先モード時、ケーシング内部から発せられる音は、室内の吹き出し口側には届きにくくなる。
【００２９】
発明７に係る空気調和装置の室内機によると、室内に吹き出される空気量に応じて、吸い込み口から吸い込まれる空気量を十分に確保することができる。
【００３０】
発明８に係る空気調和装置の室内機によると、パネルが開姿勢を採る場合、吹き出し口側からは、パネルの鉛直部により吸い込み口が見えにくくなる。
【００３１】
発明９及び発明１０に係る空気調和装置の室内機によると、ケーシング内部から発せられる音は、主として側壁や窓側に出力されるため、室内において吹き出し口側にいる利用者には届きにくくなる。
【発明を実施するための最良の形態】
【００３２】
以下、本発明に係る空気調和装置の室内機について、図面を用いて説明する。
【００３３】
（１）構成
図１は、本実施形態に係る空気調和装置の室内機１の外観図である。図２は、図１の室内機１のＩＩ−ＩＩ断面を、図１において室内機１の右側から見た場合の概略図である。この室内機１は、図２に示すように、室内の天井に埋め込まれるようにして取り付けられる、いわゆる天井埋込型の室内機であって、暖房運転や冷房運転、清掃運転等を行うことができる。ここで、清掃運転とは、フィルタ２５が捕集した塵埃をフィルタ２５から剥離させるための運転方法である。更に、本実施形態に係る室内機１は、暖房運転や冷房運転を行う時、静音優先モードや通常モードで運転を行うことができる。静音優先モードとは、室内機１内部の送風ファン２３の駆動源であるファンモータ２４の回転駆動時に発せられる音や、空気がフィルタ２５を通過する時の通風音等が室内に伝わることを抑制するためのモードである。通常モードは、静音優先モードでないモードをいう。
【００３４】
室内機１は、図１及び図５に示すように、ケーシング２、フラットパネル３（パネルに相当）、水平フラップ４、受信部５（受付部に相当）、運転状態表示部６及び制御部７を備えている。
【００３５】
尚、以下では、例えばケーシング２の「下方」のように、「上」、「下」、「右」「左」等の方向を示す表現を適宜用いているが、これらは室内機１が図２に示すように室内の天井に取り付けられ、通常使用される状態での各方向を表す。
【００３６】
〔ケーシング〕
ケーシング２は、正面視において水平方向に長い略矩形状の形状を有しており、図１に示すように、ケーシング本体２ａと化粧パネル２ｂとで構成されている。
【００３７】
ケーシング本体２ａの内部には、図２及び図５に示すように、主として、室内熱交換器２２、送風ファン２３、ファンモータ２４、フィルタ２５及び清掃部材２６等が収容されている。室内熱交換器２２は、室内の空気と熱交換を行うためのものであって、送風ファン２３は、後述する吸い込み口２１ａから吹き出し口２１ｂへの空気の流れを生成するためのものである。ファンモータ２４は、送風ファン２３の回転駆動源である。フィルタ２５は、吸い込み口２１ａに設けられており、吸い込み口２１ａを通過した空気中の塵埃を捕集する。清掃部材２６は、ケーシング２のフィルタ２５近傍に設けられており、フィルタ２５が捕集した塵埃をフィルタ２５から除去する。
【００３８】
具体的には、清掃部材２６は、図３に示すように、ブラシ２６ａ、ノズル２６ｂ、吸引ファン２６ｃ、ダストボックス２６ｄを含む。ブラシ２６ａの先端部分は、フィルタ２５の表面に接触可能に延びており、ブラシ２６ａは、フィルタ２５の表面からフィルタ２５が捕集した塵埃を掻き落とす。ノズル２６ｂは、ブラシ２６ａが図２のフィルタ２５の左側端部及び右側端部にまで到達可能に伸び縮みするように形成されており、モータ等で構成された第１清掃駆動部２６ｅ（図５）により駆動される。ノズル２６ｂの内部には、フィルタ２５から掻き落とされた塵埃が通過する。吸引ファン２６ｃは、フィルタ２５から掻き落とされた塵埃をダストボックス２６ｄに移動させるための空気流を生成するものであって、モータ等で構成された第２清掃駆動部２６ｆ（図５）により駆動される。ダストボックス２６ｄは、フィルタ２５から掻き落とされた塵埃を溜めるものであって、ケーシング２に対し取り外し可能なように形成されている。本実施形態では、ダストボックス２６ｄは、図２においてケーシング２の右側端部かつ吸い込み口２１付近であって、フィルタ２５の右側方向に設けられている。図３の清掃部材２６では、清掃モード運転時、吸引ファン２６ｃ及びダストボックス２６ｄは、ケーシング２に対し固定されており、ブラシ２６ａは、ノズル２６ｂが伸び縮みすることによりフィルタ２５の表面を矢印Ｃの方向に移動する。これにより、フィルタ２５の表面に付着している塵埃はフィルタ２５から剥離し、やがてダストボックス２６ｄに収容される。
【００３９】
化粧パネル２ｂは、ケーシング本体２ａの下面に設けられている（即ち、化粧パネル２ｂは、ケーシング２の下面に相当）。化粧パネル２ｂには、図１及び図２に示すように、吸い込み口２１ａと吹き出し口２１ｂとが１つずつ形成されている。吸い込み口２１ａは、室内の空気が吸い込まれるための開口であって、吹き出し口２１ｂは、吸い込み口２１ａから吸い込まれ室内熱交換器２２により熱交換された後の空気が室内へ吹き出されるための開口である。吸い込み口２１ａ及び吹き出し口２１ｂは、図１に示すように、ケーシング２の長手方向（即ち、図１のＷ方向）に沿って細長い略矩形状の形状を有している。そして、吸い込み口２１ａの面積は、吹き出し口２１ｂの面積よりも大きい。また、図２に示すように、本実施形態に係る室内機１は、ケーシング２の吸い込み口２１ａが吹き出し口２１ｂよりも室内の側壁や窓側に位置するように、天井に配置されている。
【００４０】
〔フラットパネル〕
フラットパネル３は、図１や図２、図６に示すように、吸い込み口２１ａの形状と同様にケーシング２のＷ方向に沿って細長い略矩形状の形状を有している。フラットパネル３は、室内機１の運転停止時には、吸い込み口２１ａを遮蔽する閉姿勢を採り（図６）、室内機１の運転時には、吸い込み口２１ａを開放する開姿勢（図１，図２）を採る。そして、図２に示すように、フラットパネル３は、開姿勢を採る場合、吹き出し口２１ｂから遠い第１部分Ｐ１がケーシング２の化粧パネル２ｂから離れる状態となる。より具体的には、フラットパネル３の第１部分Ｐ１と吸い込み口２１ａとの距離ｄ１は、吹き出し口２１ｂに近いフラットパネル３の第２部分Ｐ２と吸い込み口２１ａとの距離ｄ２よりも大きい。
【００４１】
特に、このフラットパネル３は、吹き出し口２１ｂ側の端部を回動支点としてケーシング２の下面（具体的には化粧パネル２ｂ）に対し回動自在に取り付けられている。より具体的には、フラットパネル３は、図２及び図４に示すように、吸い込み口２１ａ付近であってかつ吹き出し口２１ｂ側に位置する第１回動支持部３１と第２回動支持部３２とにより、化粧パネル２ｂに対し回動自在に本体２に連結されている。ここで、第１回動支持部３１は、フラットパネル３上に設けられており、フラットパネル３が閉姿勢を採る時にケーシング２の内側を向くフラットパネル３の面から上方に突出している。そして、第１回動支持部３１には、第２回動支持部３２が嵌合され第１回動支持部３１がスライドするための長穴が形成されている。第２回動支持部３２は、ケーシング２に固定されており、第１回動支持部３１の長穴に嵌合後、フラットパネル３の回動軸としての役割を担う。即ち、第２回動支持部３２は、モータ３ａ（図５）等を含む駆動部により回転することができ、第２回動支持部３２の回転が第１回動支持部３１を経てフラットパネル３に伝達されることで、回動軸としての役割を担うことができる。
【００４２】
このような構成により、フラットパネル３は、閉姿勢（図４（ａ））から開姿勢（図４（ｃ））となる場合、先ずは、第１回動支持部３１の長穴に嵌合された第２回動支持部３２が長穴の下側端部から上側端部に到達する動作に伴い、所定の位置まで降下する（図４（ｂ））。次いで、フラットパネル３は、第２回動支持部３２を中心として回動する。これにより、フラットパネル３は、図２に示すように、吹き出し口２１ｂに近い部分から遠い部分に向かって吸い込み口２１ａとの距離が大きくなるように傾斜する開姿勢を採る。フラットパネル３が開姿勢を採る場合、室内の空気は、図２の矢印Ａの方向から吸い込み口２１ａを介してケーシング２内部に送られる。
【００４３】
このように、本実施形態に係るフラットパネル３は、開姿勢時には吸い込み口２１ａを室内の側壁や窓側に開放するため、吹き出し口２１ｂからの吹き出し空気を受ける空間ＳＰ１（即ち、室内の中央部側）にいる利用者からは、フラットパネル３により吸い込み口２１ａが見えにくくなる。言い換えると、室内機１の運転時、吹き出し口２１ｂ側からは、フラットパネル３の外側の面、即ち室内機１の運転停止時にケーシング２内部を向く面とは反対側の面が見えるようになる。また、吸い込み口２１ａは、吹き出し口２１ｂよりも大きい面積を有しているため、フラットパネル３が開姿勢を採る場合にケーシング２内部のファンモータ２４から発せられる音やフィルタ２５を通過する空気の通風音等は、吹き出し口２１ｂから出力されるよりも、吸い込み口２１ａから室内の側壁や窓側の空間ＳＰ２に出力されやすくなる。そして、吸い込み口２１ａから出力された音は、空間ＳＰ１側にいる利用者には届きにくくなる。
【００４４】
〔水平フラップ〕
水平フラップ４は、吹き出し口２１ｂから吹き出される空気を、図２の矢印Ｂの方向に案内するためのものであって、吹き出し口２１ｂを開閉可能に設けられている。本実施形態に係る水平フラップ４は、フラットパネル３側を支点として吹き出し口２１ｂを開閉可能に設けられている。より具体的には、水平フラップ４は、吸い込み口２１ａ側の端部を回動支点としてケーシング２の下面（即ち、化粧パネル２ｂ）に対し回動自在に取り付けられている。これにより、水平フラップ４は、フラットパネル３の回動方向とは逆の方向に回動することができる。また、水平フラップ４は、図１に示すように、吹き出し口２１ｂの形状と同様にケーシング２のＷ方向に沿って細長い略矩形状の形状を有している。
【００４５】
このような水平フラップ４は、運転停止時には吹き出し口２１ｂを閉じ、運転時には吹き出し口２１ｂを開放する。これにより、運転時に室内熱交換器２２で熱交換された後の空気は、室内の側壁や窓側とは反対方向の室内中央部（具体的には、空間ＳＰ１）に送られる。尚、水平フラップ４は、モータ４ａ（図５）やギア（図示せず）等を含む駆動部により回転駆動される。また、水平フラップ４のケーシング２に対する傾斜角度は、例えば約２５度が挙げられる。
【００４６】
〔受信部及び運転状態表示部〕
受信部５及び運転状態表示部６は、図１に示すように、ケーシング２の化粧パネル２ｂに設けられている。受信部５は、リモートコントローラから送信される各種運転の開始指示や静音優先運転モードの開始指示、各種設定等を受信可能なように設けられている。例えば、受信部５は、吹き出し口２１ｂから室内に吹き出される空気の量（以下、単に風量という）の設定を、リモートコントローラを通じて受け付けることができる。運転状態表示部６は、例えばＬＥＤで構成され、室内機１の運転状況に応じて点灯や点滅を行うことにより、室内機１が現在行っている運転状況を室内機１の利用者に知らせることができる。
【００４７】
〔制御部〕
制御部７は、ケーシング２内部に収容されており、ＣＰＵ及びメモリからなるマイクロコンピュータで構成されている。制御部７は、図５に示すように、主として、受信部５、運転状態表示部６、第１清掃駆動部２６ｅ、第２清掃駆動部２６ｆ、送風ファン２３のファンモータ２４、フラットパネル３駆動用のモータ３ａ、及び水平フラップ４駆動用のモータ４ａと接続されており、接続された各機器の制御を行う。例えば、制御部７は、受信部５がリモートコントローラから受信した各種運転の開始指示等に基づいて、水平フラップ４による吹き出し口２１ｂの開閉制御や、ファンモータ２４の回転駆動制御、運転状態表示部６の表示状態の制御を行う。特に、本実施形態に係る制御部７は、受信部５が受信した各種運転の開始指示等に基づいて、フラットパネル３の回動制御や、清掃部材２６によるフィルタ２５の清掃動作の実行等を制御する。このような動作を行うため、制御部７は、パネル調節部７１（調節部に相当）及び清掃制御部７２として機能する。
【００４８】
〔パネル調節部〕
パネル調節部７１は、受信部５がリモートコントローラから冷房運転や暖房運転の開始指示を受信すると、フラットパネル３が回動して吸い込み口２１ａを開放するように、モータ３ａを駆動させる。更に、パネル調節部７１は、受信部５がリモートコントローラから静音優先モードの開始指示を受信すると、フラットパネル３のケーシング２に対する傾斜度合いを調節する。
【００４９】
ここで、パネル調節部７１が、フラットパネル３のケーシング２に対する傾斜度合いをどのように調節するかについて、具体的に説明する。図７は、フラットパネル３の傾斜度合いについて説明するための図である。受信部５がリモートコントローラから冷房運転や暖房運転の運転開始指示を受信し、静音優先モードの開始指示については受信しなかった場合、パネル調節部７１は、通常モードであると判断し、フラットパネル３の傾斜角度を“α”に決定する。また、受信部５がリモートコントローラから冷房運転や暖房運転の開始指示と共に静音優先モードの開始指示を受信した場合には、パネル調節部７１は、フラットパネル３の傾斜角度を“α”よりも大きい“β”に決定する。これにより、静音優先モード時にケーシング２内部のファンモータ２４から発せられる音やフィルタ２５を通過する空気の通風音等は、通常モード時に比して、より側壁や窓側（具体的には、空間ＳＰ２）に出力されやすくなるため、室内の吹き出し口２１ｂ側の空間ＳＰ１にいる利用者には届きにくくなる。ここで、フラットパネル３の傾斜角度“α”は、例えば１５度＜α＜３５度の範囲を満たし、傾斜角度“β”は、例えば３５度＜β＜６０度の範囲を満たすとする。
【００５０】
また、受信部５が風量の設定をリモートコントローラから受信した場合、パネル調節部７１は、設定された風量に基づいて、フラットパネル３の傾斜度合いを調節する。例えば、パネル調節部７１は、図８に示すように、設定された風量が多い程、フラットパネル３の傾斜角度α，βを大きくし、逆に設定された風量が少ない程、フラットパネル３の傾斜角度α，βを小さくする。これにより、吸い込み口２１ａからケーシング２内部に吸い込まれる空気の量は十分に確保される。
【００５１】
尚、図８では、フラットパネル３のケーシング２に対する傾斜角度α，βを、通常モードと静音優先モードとに分けて表している。図８に示すように、静音優先モードにおいて設定された風量に対する傾斜角度βは、通常モードにおいて設定された風量に対する傾斜角度αよりも大きくなるように決定される。また、フラットパネル３の傾斜角度α及びβは、共に９０度未満となるように決定される。これは、フラットパネル３の傾斜角度が仮に９０度以上となると、吹き出し口２１ｂ側の空間ＳＰ１にいる利用者からは、吸い込み口２１ａが逆に見えやすくなるため、意匠性の確保の観点から決定されたものである。
【００５２】
〔清掃制御部〕
清掃制御部７２は、例えば受信部５が清掃運転の開始指示をリモートコントローラから受信した場合、フィルタ２５が捕集した塵埃がフィルタ２５から除去されるように、清掃部材２６の第１清掃駆動部２６ｅ及び第２清掃駆動部２６ｆの駆動を制御する。より具体的には、清掃制御部７２は、清掃部材２６のブラシ２６ａが図２のフィルタ２５の右側端部と左側端部との間を少なくとも一往復すると共に、フィルタ２５から掻き取られた塵埃がダストボックス２６ｄに溜められるように、第１及び第２清掃駆動部２６ｅ，２６ｆの駆動を制御する。
【００５３】
尚、清掃制御部７２が第１及び第２清掃駆動部２６ｅ，２６ｆの駆動を開始させる時、フラットパネル３は、開姿勢及び閉姿勢のどちらの状態であってもよいが、本実施形態では、フラットパネル３が開姿勢を採る状態で各清掃駆動部２６ｅ，２６ｆの駆動が開始される場合を例にとる。これにより、清掃部材２６によるフィルタ２５の清掃動作は、フラットパネル３により吹き出し口２１ｂ側からは見えにくい状態で行われる。
【００５４】
（２）動作
次に、本実施形態に係る室内機１の動作について説明する。
【００５５】
室内機１が運転を停止している時は、フラットパネル３及び水平フラップ４は、図６に示すように、吸い込み口２１ａ及び吹き出し口２１ｂそれぞれを完全にふさいでいる状態である。この状態で、受信部５が運転開始の指示をリモートコントローラから受信すると、各種モータ３ａ，４ａは駆動を開始する。これにより、フラットパネル３は、吸い込み口２１ａを室内の側壁や窓側に開放するように回動し、水平フラップ４は、室内の側壁や窓側とは逆方向（具体的には、室内の中央部側。空間ＳＰ１側）に吹き出し口２１ｂを開放するように回動する。
【００５６】
ここで、運転開始の指示が冷房運転や暖房運転の開始指示のみである場合には、フラットパネル３は、図７の（ａ）に示すように、ケーシング２に対し角度“α”だけ傾斜する。運転開始の指示が冷房運転や暖房運転の開始指示に加えて静音優先モードの開始指示である場合には、フラットパネル３は、図７の（ｂ）に示すように、ケーシング２に対し角度“β”だけ傾斜する。更に、利用者によりリモートコントローラを介して風量の設定がなされ、受信部５がこれを受信した場合には、フラットパネル３は、設定された風量に基づいて調節された角度αまたはβだけ傾斜する。
【００５７】
また、運転開始の指示が清掃運転の開始指示である場合には、清掃部材２６は、フィルタ２５の清掃動作を行う。
【００５８】
次いで、受信部５がリモートコントローラから運転停止を受信した場合、フラットパネル３及び水平フラップ４は、それぞれ運転開始時に回動した方向とは逆の方向に回動する。やがて、図６に示すように、フラットパネル３及び水平フラップ４が吸い込み口２１ａ及び吹き出し口２１ｂそれぞれを完全にふさいだ状態となると、各種モータ３ａ，４ａは駆動を停止し、室内機１は運転を停止した状態となる。
【００５９】
（３）効果
（ａ）
本実施形態に係る室内機１によると、開姿勢を採るフラットパネル３は、少なくとも吹き出し口２１ｂから遠い第１部分Ｐ１がケーシング２から離れている状態であるため、吹き出し口２１ｂからの吹き出し空気をうける空間ＳＰ１にいる利用者からは吸い込み口２１ａが見えにくくなる。従って、室内機１の意匠が損なわれずに済む。
【００６０】
（ｂ）
また、室内機１によると、開姿勢を採るフラットパネル３は、吹き出し口２１ｂから近い部分よりも遠い部分の方が吸い込み口２１ａからの距離が大きい状態であるため、吹き出し口２１ｂ側（即ち、空間ＳＰ１）にいる利用者からは、吸い込み口２１ａが見えにくくなる。
【００６１】
（ｃ）
また、室内機１によると、フラットパネル３は、運転停止時には吸い込み口２１ａを閉じ、運転時には吸い込み口２１ａを開放する。特に、吸い込み口２１ａは、開放されている時、フラットパネル３により吹き出し口２１ｂ側（即ち、空間ＳＰ１）にいる利用者からは見えにくい状態にあるため、室内機１の運転状態に関係なく意匠性を確保することができる。
【００６２】
（ｄ）
特に、フラットパネル３は、ケーシング２の下面（即ち、化粧パネル２ｂ）に対し回動自在に設けられている。そして、フラットパネル３は、開姿勢を採る場合、吹き出し口２１ｂに近い部分から遠い部分に向かって吸い込み口２１ａとの距離が大きくなるように傾斜している。そのため、吹き出し口２１ｂ側（即ち、空間ＳＰ１）にいる利用者からは、吸い込み口２１ａが見えにくくなる。
【００６３】
（ｅ）
また、室内機１には、フラットパネル３のケーシング２に対する傾斜度合いを調節する制御部７が更に備えられている。従って、フラットパネル３の傾斜度合いは、適切な状態に保たれる。
【００６４】
（ｆ）
ところで、ケーシング２内には、ファンモータ２４やフィルタ２５等が配置されている。ファンモータ２４からは、回転時に音が発せられ、フィルタ２５からは、空気がフィルタ２５を通過する時の通風音が発せられる。しかし、本実施形態に係る室内機１は、静音優先モード時、フラットパネル３のケーシング２に対する傾斜度合いが通常モード時によりも大きくなるように、フラットパネル３の傾斜度合いを調節する。そのため、静音優先モード時、ケーシング２内部のファンモータ２４やフィルタ２５から発せられる音は、室内の吹き出し口２１ｂ側（即ち、空間ＳＰ１）にいる利用者には届きにくくなる。
【００６５】
（ｇ）
また、室内機１は、吹き出し口２１ｂから室内に吹き出される空気の量の設定を受け付けると、受け付けた設定に基づいてフラットパネル３の傾斜度合いを調節する。これにより、室内機１は、室内に吹き出される空気量に応じて、吸い込み口２１ａから吸い込まれる空気量を十分に確保することができる。
【００６６】
（ｈ）
また、本実施形態に係る室内機では、図１や図２に示すように、吹き出し口２１ｂは、ケーシング２の下面（即ち、化粧パネル２ｂ）に１つ形成されている。
【００６７】
（ｉ）
更に、室内機１は、図２に示すように、吸い込み口２１ａが吹き出し口２１ｂよりも室内の側壁または窓側に位置するように、設置される。これにより、ケーシング２内部のファンモータ２４やフィルタ２５から発せられる音は、主として側壁や窓側に出力されるため、室内において吹き出し口２１ｂ側（即ち、空間ＳＰ１）にいる利用者には届きにくくなる。
【００６８】
＜その他の実施形態＞
（Ａ）
上記実施形態では、図２に示すように、１つのフラットパネル３がケーシング２に対し回動する場合について説明した。しかし、本発明に係る室内機は、図９に示すように、運転時には、略Ｌ字形状のフラットパネル１０３がケーシング１０２の下面である化粧パネル１０２ｂの下方に下がるような室内機１０１としても適用することができる。
【００６９】
図９の室内機１０１は、主として、ケーシング本体１０２ａと化粧パネル１０２ｂとを含むケーシング１０２、Ｌ字形状のフラットパネル１０３、水平フラップ１０４等を備える。そして、図２の室内機１と同様、ケーシング１０２の化粧パネル１０２ｂには、吸い込み口１２１ａ及び吹き出し口１２１ｂがそれぞれ１つずつ設けられており、室内機１０１は、吸い込み口１２１ａが吹き出し口１２１ｂよりも室内の側壁や窓側となるように設置されている。尚、水平フラップ１０４やケーシング１０２内部のその他の構成は、図２に係る水平フラップ４やケーシング２の内部と同様であるため、説明を省略する。
【００７０】
フラットパネル１０３は、略水平方向に延びる水平部１０３ａと、略鉛直方向に延びる鉛直部１０３ｂとで構成される。より具体的には、鉛直部１０３ｂは、フラットパネル１０３が開姿勢を採る場合において、水平部１０３ａの吹き出し口１２１ｂ側端部から吸い込み口１２１ａに向かって略鉛直方向に延びており、フラットパネル１０３において吹き出し口１２１ｂに近い部分であるといえる。水平部１０３ａは、吸い込み口１２１ａを遮蔽可能な面積を有する。そして、鉛直部１０３ｂの吸い込み口１２１ａ側の端部は、図示しない昇降部を介してケーシング１０２に対し可動可能に連結されている。また、水平部１０３ａのうち、吹き出し口１２１ｂ側とは逆側の端部（即ち、室内の側壁や窓側の端部）は、自由端となっている。
【００７１】
このような構成を有する室内機１０１によると、室内機１０１の運転停止時には、フラットパネル１０３は、鉛直部１０３ｂがケーシング２の内部に収容され、水平部１０３ａが吸い込み口１２１ａを閉じる閉姿勢を採る。また、室内機１０１の運転時、フラットパネル１０３は、ケーシング２の下方に下降し、吸い込み口１２１ａを開放する開姿勢を採る。これにより、室内の空気は、図９の矢印Ａのように、ケーシング１０２内部に吸い込まれる。
【００７２】
このように、図９の室内機１０１では、フラットパネル１０３が開姿勢を採る場合、少なくとも吹き出し口１２１ｂから遠い部分Ｐ１０１がケーシング１０２から離れる。そして、フラットパネル１０３が開姿勢を採る場合、フラットパネル１０３の水平部１０３ａにおける第１部分Ｐ１０１と吸い込み口１２１ａとの距離は、鉛直部１０３ｂにおける第２部分Ｐ１０２と吸い込み口１２１ａとの距離よりも大きい。これにより、吹き出し口１２１ｂ側の空間ＳＰ１０１にいる利用者からは、フラットパネル１０３の鉛直部１０３ｂにより吸い込み口１２１ａが見えにくくなる。従って、室内機１０１の意匠性が確保される。
【００７３】
（Ｂ）
また、本発明に係る室内機は、図１０に示すような室内機２０１にも適用することができる。図１０の室内機２０１は、主として、ケーシング本体２０２ａと化粧パネル２０２ｂとを含むケーシング２０２、複数枚の小型パネル２０３ａ〜２０３ｃで構成されるフラットパネル２０３、水平フラップ２０４等を備える。そして、図２の室内機１と同様、ケーシング２０２の下面である化粧パネル２０２ｂには、吸い込み口２２１ａ及び吹き出し口２２１ｂがそれぞれ１つずつ設けられており、室内機２０１は、吸い込み口２２１ａが吹き出し口２２１ｂよりも室内の側壁や窓側となるように設置されている。尚、水平フラップ２０４やケーシング２０２内部のその他の構成は、図２に係る水平フラップ４やケーシング２の内部と同様であるため、説明を省略する。
【００７４】
複数枚の小型パネル２０３ａ〜２０３ｃは、それぞれ略水平方向に延びる板状部材であって、水平に並べられた場合に、隣り合う小型パネル２０３ａ〜２０３ｃとの間に水平方向の隙間がなるべくないように配置されている。図１０において、各小型パネル２０３ａ〜２０３ｃの左側端部及び右側端部は、ワイヤにより図示しない複数の昇降部それぞれと連結されている。昇降部は、ワイヤを緩めたり巻き上げたりするためのモータを有しており、各小型パネル２０３ａ〜２０３ｃを上下に移動させるためのものである。尚、各ワイヤは、図１０に示すように、吸い込み口２２１ａ側の小型パネルから室内の側壁及び窓側の小型パネルに向かって降下する距離が順に長くなるような長さを有している。
【００７５】
このような構成を有する室内機２０１によると、室内機２０１の運転停止時には、各小型パネル２０３ａ〜２０３ｃのワイヤは巻き上げられた状態となり、各小型パネル２０３ａ〜２０３ｃが水平に並べられることで、フラットパネル２０３は吸い込み口２２１ａを閉じる閉姿勢を採る。また、室内機２０１の運転時には、ワイヤが緩められ、各小型パネル２０３ａ〜２０３ｃが図１０に示すようにケーシング２０２の下方に降下することで、フラットパネル２０３は吸い込み口２２１ａを開放する開姿勢を採る。これにより、室内の空気は、例えば図１０の矢印Ａのように、小型パネル２０３ａ〜２０３ｃ同士の隙間や小型パネル２０３ｃとケーシング２０２との隙間等を介してケーシング２内部に吸い込まれる。
【００７６】
このように、図１０の室内機２０１では、フラットパネル２０３が開姿勢を採る場合、吹き出し口２２１ｂから遠い第１部分Ｐ２０１等がケーシング２０２から離れる。そして、フラットパネル２０３が開姿勢を採る場合、フラットパネル２０３の第１部分Ｐ２０１と吸い込み口２２１ａとの距離ｄ２０１は、吹き出し口２２１ｂに近いフラットパネル２０３の第２部分Ｐ２０２と吸い込み口２２１ａとの距離ｄ２０２よりも大きい。これにより、吹き出し口２２１ｂ側の空間ＳＰ２０１にいる利用者からは、吸い込み口２２１ａが見えにくくなり、室内機２０１の意匠性が確保される。
【００７７】
（Ｃ）
また、本発明に係る室内機は、図１１に示すような室内機３０１としても適用することができる。図１１の室内機３０１は、主として、ケーシング本体３０２ａと化粧パネル３０２ｂとを含むケーシング３０２、２枚の小型パネル３０３ａ，３０３ｂで構成されるフラットパネル３０３、水平フラップ３０４等を備える。そして、図２の室内機１と同様、ケーシング３０２の下面である化粧パネル３０２ｂには、吸い込み口３２１ａ及び吹き出し口３２１ｂがそれぞれ１つずつ設けられており、室内機３０１は、吸い込み口３２１ａが吹き出し口３２１ｂよりも室内の側壁や窓側となるように設置されている。尚、水平フラップ３０４やケーシング３０２内部のその他の構成は、図２に係る水平フラップ４やケーシング２の内部と同様であるため、説明を省略する。
【００７８】
２枚の小型パネル３０３ａ，３０３ｂは、略水平方向に延びる板状部材である。図１１において、小型パネル３０３ａは、左側端部、即ち小型パネル３０３ａの吹き出し口３２１ｂ側端部を回動支点としてケーシング３０２に対し回動可能に連結されており、図示しない回動駆動部により回動することができる。小型パネル３０３ａの右側端部は、小型パネル３０３ｂの左側端部と連結されており、小型パネル３０３ｂの右側端部は、ワイヤにより図示しない昇降部と連結されている。回動駆動部は、小型パネル３０３ａを回動させるためのモータ等を有している。昇降部は、ワイヤを緩めたり巻き上げたりするためのモータを有しており、小型パネル３０３ｂを上下に移動させるためのものである。
【００７９】
このような構成を有する室内機３０１によると、室内機３０１の運転停止時には、小型パネル３０３ａは、吸い込み口３２１ａの一部を遮蔽する状態となり、小型パネル３０３ｂは、ワイヤが巻き上げられて上昇し、吸い込み口３２１ａの残りの部分を遮蔽する状態となる。これにより、両小型パネル３０３ａ，３０３ｂは略水平に並べられ、フラットパネル３０３は吸い込み口３２１ａを閉じた閉姿勢を採る。また、室内機３０１の運転時には、小型パネル３０３ｂは、ワイヤが緩められてケーシング２の下方に降下し、小型パネル３０３ａは、左側端部を回動支点として回動する。これにより、フラットパネル３０３は、図１１に示すように、吸い込み口３２１ａを開放する開姿勢を採る。この場合、室内の空気は、図１１の矢印Ａのように、ケーシング３０２内部に吸い込まれる。
【００８０】
このように、図１１の室内機３０１は、フラットパネル３０３が開姿勢を採る場合、少なくとも吹き出し口３２１ｂから遠い第１部分Ｐ３０１がケーシング３０２から離れる。そして、フラットパネル３０３が開姿勢を採る場合、フラットパネル３０３の第１部分Ｐ３０１と吸い込み口３２１ａとの距離ｄ３０１は、吹き出し口３２１ｂに近いフラットパネル３０３の第２部分Ｐ３０２と吸い込み口３２１ａとの距離ｄ３０２よりも大きい。これにより、吹き出し口３２１ｂ側の空間ＳＰ３０１にいる利用者からは、吸い込み口３２１ａが見えにくくなり、室内機３０１の意匠性が確保される。
【００８１】
（Ｄ）
また、上記実施形態では、ケーシング２の下面である化粧パネル２ｂに吸い込み口２１ａ及び吹き出し口２１ｂがそれぞれ１つずつ設けられている室内機１について説明した。しかし、本発明に係る室内機は、ケーシングの下面に吹き出し口が２つ設けられた、いわゆるダブルフローの室内機としても適用することができる。図１２は、本発明が採用されたダブルフローの室内機４０１の概略縦断面図を示している。
【００８２】
図１２の室内機４０１は、主として、ケーシング本体４０２ａと化粧パネル４０２ｂとを含むケーシング４０２、２枚の小型パネル４０３ａ，４０３ｂで構成されるフラットパネル４０３、２つの水平フラップ４０４ａ，４０４ｂ等を備える。ケーシング４０２の下面である化粧パネル４０２ｂには、１つの吸い込み口４２１ａと、吸い込み口４２１ａを挟んで２つの吹き出し口４２１ｂ，４２１ｃが設けられている。室内機４０１は、２つの吹き出し口４２１ｂ，４２１ｃのうち、吹き出し口４２１ｃが吸い込み口４２１ａよりも室内の側壁や窓側となるように設置されている。そして、ケーシング４０２の内部には、各吹き出し口４２１ｂ，４２１ｃの上方に設けられた２つの室内熱交換器４２２ａ，４２２ｂ、送風ファン４２３ａ，４２３ｂ、ファンモータ４２４、フィルタ４２５及び清掃部材４２６が収容されている。水平フラップ４０４ａ，４０４ｂは、吹き出し口４２１ｂ，４２１ｃそれぞれを開閉可能に設けられている。水平フラップ４０４ａからは、熱交換後の空気が矢印Ｂの方向に吹き出され、水平フラップ４０４ｂからは、熱交換後の空気が矢印Ｃの方向に吹き出される。
【００８３】
図１２において、小型パネル４０３ａは、左側端部を回動支点としてケーシング４０２に対し回動可能に連結されている。小型パネル４０３ｂは、右側端部を回動支点としてケーシング４０２に対し回動可能に連結されている。尚、これらの各小型パネル４０３ａ，４０３ｂは、図示しない回動駆動部を介して回動することができる。
【００８４】
このような構成を有する室内機４０１によると、室内機４０１の運転停止時には、両小型パネル４０３ａ，４０３ｂは、水平に並べられた状態となり、フラットパネル４０３は吸い込み口４２１ａを閉じた閉姿勢を採る。また、室内機４０１の運転時には、図１２に示すように、小型パネル４０３ａは、吹き出し口４２１ｂに近い部分から遠い部分に向かって吸い込み口４２１ａとの距離が大きくなるように傾斜する。また、小型パネル４０３ｂは、吹き出し口４２１ｃに近い部分から遠い部分に向かって吸い込み口４２１ａとの距離が大きくなるように傾斜する。これにより、フラットパネル４０３は、吸い込み口４２１ａを開放する開姿勢となる。この場合、室内の空気は、図１２の矢印Ａのように、ケーシング４０２内部に吸い込まれる。
【００８５】
このように、図１２の室内機４０１は、フラットパネル４０３が開姿勢を採る場合、各吹き出し口４２１ｂ，４２１ｃから遠い部分Ｐ４０１ａ，Ｐ４０１ｂがケーシング４０２から離れる。そして、フラットパネル４０３が開姿勢を採る場合、フラットパネル４０３の部分Ｐ４０１ａと吸い込み口４２１ａとの距離は、吹き出し口４２１ｂに近いフラットパネル４０３の部分Ｐ４０２ａと吸い込み口４２１ａとの距離よりも大きい。また、フラットパネル４０３の部分Ｐ４０１ｂと吸い込み口４２１ａとの距離は、吹き出し口４２１ｃに近いフラットパネル４０３の部分Ｐ４０２ｂと吸い込み口４２１ａとの距離よりも大きい。これにより、各吹き出し口４２１ｂ，４２１ｃ側からは、吸い込み口４２１ａが見えにくくなり、室内機４０１の意匠性が確保される。
【００８６】
（Ｅ）
上記実施形態では、図３に示すように、清掃部材２６のブラシ２６ａが、フィルタ２５の表面を移動しながらフィルタ２５上の塵埃を除去する場合について説明した。しかし、清掃部材２６は、図３の構成に限定されず、フィルタ２５上の塵埃を除去できれば、どのような構成であってもよい。例えば、ブラシ２６ａはケーシング２に対し固定されており、清掃モード時にはフィルタ２５が移動するような構成が挙げられる。この場合、吸引ファン２６ｃを設けずとも、ブラシ２６ａの下部にダストボックス２６ｄを直接設けることにより、フィルタ２５から剥離した塵埃はダストボックス２６ｄに直接溜められるようになる。
【００８７】
（Ｆ）
また、清掃部材２６のその他の構成の例としては、図１３に示すようなものが挙げられる。図１３は、フィルタ５２５が捕集した塵埃を除去する清掃部材５２６を備えた室内機５０１の一部分の拡大図である。図１３の清掃部材５２６は、主として、ブラシ５２６ａ、ノズル５２６ｂ、吸引ファン５２６ｃ、ダストボックス５２６ｄ及びプレフィルタ５２６ｇで構成されている。尚、ケーシング５０２及びフィルタ５２５については、上記実施形態に係る図２において同じ名称を付けて付したケーシング２及びフィルタ２５と同様である。ブラシ５２６ａ、ノズル５２６ｂ及び吸引ファン５２６ｃについては、上記実施形態に係る図３において同じ名称を付けて付したブラシ２６ａ、ノズル２６ｂ及び吸引ファン２６ｃと同様である。そのため、ここでは、ダストボックス５２６ｄ及びプレフィルタ５２６ｇについて説明する。
【００８８】
ダストボックス５２６ｄは、フィルタ２５側に開口を有する箱状部材であって、内部にはプレフィルタ５２６ｇにより捕集された塵埃が収容される。このダストボックス５２６ｄは、室内機５０１のメンテンナンス時に、利用者より容易にダストボックス５２６ｄが取り外されるように、ケーシング５０２の吸い込み口５２１ａ付近に設けられている。尚、図１３では、一例として、ダストボックス５２６ｄが、図１３においてケーシング５０２の右側端部（即ち、ケーシング５０２の側壁及び窓側）であって、かつフィルタ５２５の下方に位置している場合を表している。プレフィルタ５２６ｇは、ノズル５２６ｂの先端部分に設けられた開口を覆うように設けられている。ブラシ５２６ａがフィルタ５２５の表面を擦ると共に、吸引ファン５２６ｃが図１３の矢印の方向に空気を吸引することにより、フィルタ５２５上から塵埃が剥離されるが、プレフィルタ５２６ｇはこれを捕集する。
【００８９】
このような構成を有する清掃部材５２６は、フィルタ５２５の清掃後、例えば図１４に示すように、ノズル５２６ｂの先端部分の開口がダストボックス５２６ｄの開口を向くように、ノズル５２６ｂの先端部分を移動及び／または回転させる。その後、プレフィルタ５２６ｇを振動させたり、プレフィルタ５２６ｇを上下させてダストボックス５２６ｄの角部に接触させたりすることにより、プレフィルタ５２６ｇが捕集した塵埃は、プレフィルタ５２６ｇからダストボックス５２６ｄに落とされる。これにより、ダストボックス５２６ｄの内部には塵埃が集められる。従って、利用者は、ダストボックス５２６ｄをケーシング２から取り外すことにより、ダストボックス５２６ｄ内の塵埃を捨てることができる。
【００９０】
（Ｇ）
上記実施形態では、フラットパネル３が開姿勢を採る状態で、清掃部材２６による清掃動作が行われる場合について説明した。しかし、清掃部材２６による清掃動作は、フラットパネル３が閉姿勢を採る状態で行われても良い。これにより、清掃部材２６によりフィルタ２５から除去された塵埃が、仮にダストボックス２６ｄ内に収容しきれずダストボックス２６ｄの外部に漏れ出しても、吸い込み口２１ａを介して室内にまき散らされずに済む。
【００９１】
（Ｈ）
また、上記実施形態に係る室内機１は、図示しない昇降部によりフラットパネル３及びフィルタ２５が一体となって昇降可能に構成されていてもよい。この場合のフラットパネル３は、例えばフラットパネル３の４カ所の角部分において図示しない昇降部によりワイヤなどで吊り下げられた構造を有し、昇降することが可能であるとする。メンテナンス時等においてフラットパネル３がケーシング２の下方に降りる場合には、先ずフラットパネル３の回動部分がケーシング２から外されると共に、清掃部材２６がフィルタ２５から離れる。そして、フィルタ２５は、ケーシング２から外され、フラットパネル３及びフィルタ２５は、一体となってケーシング２の下方に移動する。これにより、フィルタ２５は、利用者によりフラットパネル３から取り外され清掃されることができる。従って、清掃部材２６により除去しきれず残っているフィルタ２５上の塵埃を除去することができる。
【００９２】
（Ｉ）
また、上記実施形態では、フラットパネル３のケーシング２に対する傾斜角度α，βは、図８に示すように、設定された風量に応じてリニアに調節される場合について説明した。しかし、フラットパネル３のケーシング２に対する傾斜角度α，βは、図１５に示すように、設定された風量に応じて段階的に調節されてもよい。
【００９３】
（Ｊ）
上記第１実施形態及びその他の実施形態（Ａ）〜（Ｃ）では、吹き出し口が１つである室内機について説明し、その他の実施形態（Ｄ）では、吹き出し口が２つである室内機について説明した。しかし、フラットパネルが開姿勢を採る場合に、少なくとも吹き出し口から遠いフラットパネルの第１部分がケーシングから離れる条件を満たせば、本発明に係る室内機は、２以上の吹き出し口を有する室内機にも適用できる。
【産業上の利用可能性】
【００９４】
本発明は、意匠性を損なわずに済む効果を有しており、天井埋め込み型の空気調和装置の室内機に適用することができる。
【図面の簡単な説明】
【００９５】
【図１】本実施形態に係る室内機の外観図であって、室内機が開姿勢を採る場合の図。
【図２】天井に設置された図１の室内機のＩＩ−ＩＩ断面を、右側から見た場合の概略図。
【図３】清掃部材の構成概略図。
【図４】（ａ）フラットパネルが閉姿勢を採る場合の、室内機の一部分の拡大概略図。  （ｂ）フラットパネルが閉姿勢から開姿勢に至る時の、室内機の一部分の拡大概略図。  （ｃ）フラットパネルが開姿勢を採る場合の、室内機の一部分の拡大概略図。
【図５】本実施形態に係る室内機を構成する各種機能部を模式的に示すブロック図。
【図６】閉姿勢を採る室内機外観図。
【図７】本実施形態に係るフラットパネルの傾斜度合いを説明するための図。
【図８】フラットパネルの傾斜度合いと設定された風量との関係を説明するための図。
【図９】その他の実施形態（Ａ）に係る室内機の概略縦断面図であって、室内機が開姿勢を採る場合の図。
【図１０】その他の実施形態（Ｂ）に係る室内機の概略縦断面図であって、室内機が開姿勢を採る場合の図。
【図１１】その他の実施形態（Ｃ）に係る室内機の概略縦断面図であって、室内機が開姿勢を採る場合の図。
【図１２】その他の実施形態（Ｄ）に係る室内機の概略縦断面図であって、室内機が開姿勢を採る場合の図。
【図１３】その他の実施形態（Ｆ）に係る室内機の概略縦断面図であって、清掃部材を含む室内機の一部分を拡大した図。
【図１４】その他の実施形態（Ｆ）に係る室内機の概略縦断面の一部分を拡大した図であって、清掃部材のプレフィルタが捕集した塵埃がダストボックスに集められる時の図。
【図１５】その他の実施形態（Ｉ）に係るフラットパネルの傾斜度合いと設定された風量との関係を示す図。
【符号の説明】
【００９６】
１  室内機
２  ケーシング
２ａ  ケーシング本体
２ｂ  化粧パネル
２１ａ  吸い込み口
２１ｂ  吹き出し口
２２  室内熱交換器
２３  送風ファン
２４  ファンモータ
２５  フィルタ
２６  清掃部材
３  フラットパネル
４  水平フラップ
５  受信部
６  運転状態表示部
７  制御部
７１  パネル調節部
７２  清掃制御部
【図１】
2009041851.tif 000003
【図２】
2009041851.tif 000004
【図３】
2009041851.tif 000005
【図４】
2009041851.tif 000006
【図５】
2009041851.tif 000007
【図６】
2009041851.tif 000008
【図７】
2009041851.tif 000009
【図８】
2009041851.tif 000010
【図９】
2009041851.tif 000011
【図１０】
2009041851.tif 000012
【図１１】
2009041851.tif 000013
【図１２】
2009041851.tif 000014
【図１３】
2009041851.tif 000015
【図１４】
2009041851.tif 000016
【図１５】
2009041851.tif 000017